【手続補正書】
【提出日】令和1年7月31日(2019.7.31)
【手続補正１】
【補正対象書類名】特許請求の範囲
【補正対象項目名】全文
【補正方法】変更
【補正の内容】
【特許請求の範囲】
【請求項１】
同一のコンテンツを複数の再生装置で再生可能な再生システムにおける再生装置であって、
少なくとも自装置のｂｕｓｙフラグを含む装置別情報およびデータを送信する送信部と、
他の再生装置のｂｕｓｙフラグを含む装置別情報およびデータを受信する受信部と、
前記再生システムにおけるすべての再生装置の装置別情報、および再生装置に関する優先度テーブルを格納する設定記憶部と、
有効判定部であって、
（ア）前記再生システム内の再生装置の台数と、
（イ）自装置が保有する配信データのタイムスタンプが、自装置以外の再生装置が保有する配信データのタイムスタンプと比較した結果と、
（ウ）ｂｕｓｙフラグが無効である他の再生装置が存在する情報と、
（エ）前記優先度テーブルにおける、自装置がマスタ装置になり得る優先度、
とを用いて自装置がマスタモードで配信処理が実行可能か否かを判断する有効判定部と、
を備え、
前記有効判定部が、自装置がマスタモードで配信処理を実行可能と判定した場合、自装置が保有するデータを、データ配信先である他の再生装置に対して配信する、
再生装置。
【請求項２】
前記データ配信先である他の再生装置は、
マスタモードでなく、保有する配信データのタイムスタンプが最新でなく、且つｂｕｓｙフラグが無効である、
請求項１の記載の再生装置。
【請求項３】
前記有効判定部はさらに、
（オ）ネットワーク内でデータ配信を受信中の再生装置の台数が、所定の受信装置上限数未満か否か
の判断結果を判定に加味し、ネットワーク内でデータ配信を受信中の再生装置の台数が、前記受信装置上限数未満である場合に限り前記他の再生装置に対して自装置が保有するコンテンツを配信する
請求項１または２に記載の再生装置。
【請求項４】
前記データ配信先である他の再生装置の台数は、所定の１台当たりの送信可能台数以下である、請求項１から３のいずれか１項に記載の再生装置。
【請求項５】
前記データ配信先である他の再生装置は、前記優先度テーブルの順位に従い決定される、請求項１から４のいずれか１項に記載の再生装置。
【請求項６】
同一のコンテンツを複数の再生装置で再生可能な再生システムにおける再生装置の制御方法であって、
少なくとも自装置のｂｕｓｙフラグを含む装置別情報およびデータを送信する送信ステップと、
他の再生装置のｂｕｓｙフラグを含む装置別情報およびデータを受信する受信ステップと、
前記再生システムにおけるすべての再生装置の装置別情報、および再生装置に関する優先度テーブルを格納する設定記憶ステップと、
有効判定ステップであって、
（ア）前記再生システム内の再生装置の台数と、
（イ）自装置が保有する配信データのタイムスタンプが、自装置以外の再生装置が保有する配信データのタイムスタンプと比較した結果と、
（ウ）ｂｕｓｙフラグが無効である他の再生装置が存在する情報と、
（エ）前記優先度テーブルにおける、自装置がマスタ装置になり得る優先度、
とを用いて自装置がマスタモードで配信処理が実行可能か否かを判断する有効判定ステップと、
前記有効判定ステップにおいて、自装置がマスタモードで配信処理を実行可能と判定した場合、自装置が保有するデータを、データ配信先である他の再生装置に対して配信する配信ステップとを含む
制御方法。
【請求項７】
請求項６に記載の再生装置の制御方法をコンピュータに実行させるためのプログラム。
【手続補正２】
【補正対象書類名】明細書
【補正対象項目名】００１１
【補正方法】変更
【補正の内容】
【００１１】
上記課題を解決するために、本発明の一態様にかかる再生装置は、同一のコンテンツを複数の再生装置で再生可能な再生システムにおける再生装置であって、少なくとも自装置のｂｕｓｙフラグを含む装置別情報およびデータを送信する送信部と、他の再生装置のｂｕｓｙフラグを含む装置別情報およびデータを受信する受信部と、再生システムにおけるすべての再生装置の装置別情報、および再生装置に関する優先度テーブルを格納する設定記憶部と、有効判定部であって、（ア）再生システム内の再生装置の台数と、（イ）自装置が保有する配信データのタイムスタンプが、自装置以外の再生装置が保有する配信データのタイムスタンプと比較した結果と、（ウ）ｂｕｓｙフラグが無効である他の再生装置が存在する情報と、（エ）優先度テーブルにおける、自装置がマスタ装置になり得る優先度、とを用いて自装置がマスタモードで配信処理が実行可能か否かを判断する有効判定部と、を備え、有効判定部が、自装置がマスタモードで配信処理を実行可能と判定した場合、自装置が保有するデータを、データ配信先である他の再生装置に対して配信する。
【手続補正３】
【補正対象書類名】明細書
【補正対象項目名】００２１
【補正方法】変更
【補正の内容】
【００２１】
また、本発明の一態様に係る再生装置の制御方法は、同一のコンテンツを複数の再生装置で再生可能な再生システムにおける再生装置の制御方法であって、少なくとも自装置のｂｕｓｙフラグを含む装置別情報およびデータを送信する送信ステップと、他の再生装置のｂｕｓｙフラグを含む装置別情報およびデータを受信する受信ステップと、再生システムにおけるすべての再生装置の装置別情報、および再生装置に関する優先度テーブルを格納する設定記憶ステップと、有効判定ステップであって、（ア）前記再生システム内の再生装置の台数と、（イ）自装置が保有する配信データのタイムスタンプが、自装置以外の再生装置が保有する配信データのタイムスタンプと比較した結果と、（ウ）ｂｕｓｙフラグが無効である他の再生装置が存在する情報と、（エ）優先度テーブルにおける、自装置がマスタ装置になり得る優先度、とを用いて自装置がマスタモードで配信処理が実行可能か否かを判断する有効判定ステップと、有効判定ステップにおいて、自装置がマスタモードで配信処理を実行可能と判定した場合、自装置が保有するデータを、データ配信先である他の再生装置に対して配信する配信ステップとを含む制御方法である。
【手続補正４】
【補正対象書類名】明細書
【補正対象項目名】００３２
【補正方法】変更
【補正の内容】
【００３２】
再生装置Ｒ１等は、自装置以外の再生装置に向けてデータ配信を行うマスタモードと、ネットワーク内で配信されているデータを受信するスレーブモードとを有しており、いずれのモードで動作するかは後述する判定手順により決定される。ここで、以後、マスタモードで動作する再生装置をマスタ装置、一方、スレーブモードで動作する再生装置をスレーブ装置とも呼ぶことにする。また、マスタ装置は、後述する図４から図１１の各種情報および動作フローをもとに動的に選定される。なお、マスタ装置は1台に限らず、特定の条件を満たすことで２台以上選定されてもよい。
【手続補正５】
【補正対象書類名】明細書
【補正対象項目名】００５６
【補正方法】変更
【補正の内容】
【００５６】
状態監視部３６は、自装置と他の再生装置との間で行う通信の状態を監視したり、ｂｕｓｙフラグの状態を監視する処理部である。具体的には次の処理・判断を行う。
（１）受信部３２で受信した通知パケットに自装置以外の再生装置からのデータ配信通知が含まれているか否かを判断する。
（２）予め設定された時間内にデータ配信通知に対するスレーブ装置からの応答があるか否かを判断し、応答がある場合に、通信制御部３３にデータ配信を開始するための準備を行う旨を通知する。
（３）自装置が行うデータ配信の配信先が、ネットワーク内共有設定情報で設定される1台当たりの送信可能台数以下か否かを判断し、以下の場合に、通信制御部３３に配信すべきデータを送信する旨を通知する。
（４）マスタ装置から配信すべきデータをすべて受信完了した場合、設定記憶部３７のノードリスト内の自装置のｂｕｓｙフラグを無効にする。
状態監視部３６は、ＣＰＵ２１、ＲＯＭ２１、ＲＡＭ２２、記憶装置２３などで実現される。
【手続補正６】
【補正対象書類名】明細書
【補正対象項目名】００６１
【補正方法】変更
【補正の内容】
【００６１】
つぎに、図７、図９、図１０の、実施の形態にかかる再生システムにおいて、各再生装置が備える各テーブルについて、詳細に説明する。これら各テーブルは、配信処理において配信可能か否かの条件を判断する上で参照される情報である。